(57)【特許請求の範囲】
【請求項１】
外周面に転動体転動溝を備えた案内レールと、この案内レールに跨架されて相対移動するスライダとで構成し、当該スライダは、前記案内レールの転動体転動溝に対向する転動体転動溝及び転動体戻り通路を有するスライダ本体と、前記スライダ本体の端部に接合され、前記スライダの転動体転動溝及び転動体戻り通路を連通する湾曲路を有するエンドキャップとを備えた直動案内軸受装置において、
前記スライダ本体の内部に、前記転動体戻り通路の延在方向に沿って長手方向が延在する中空部を形成し、この中空部の長手方向に仕切り部材を配置することで、少なくとも２つの中空部を形成し、これら中空部のうちの１つの中空部を潤滑剤溜まり部とし、他の中空部を前記転動体戻り通路とするとともに、前記仕切り部材に、前記転動体戻り通路及び前記潤滑剤溜まり部を連通する前記潤滑剤供給穴を形成したことを特徴とする直動案内軸受装置。
【請求項２】
前記仕切り部材を、少なくとも１枚の板状の仕切り部材としたことを特徴とする請求項１記載の直動案内軸受装置。
【請求項３】
前記仕切り部材を、横断面略ロ字形状の仕切り部材とし、前記仕切り部材の内部空間を前記潤滑剤溜まり部としたことを特徴とする請求項１記載の直動案内軸受装置。
【請求項４】
前記仕切り部材を、横断面略コ字形状の仕切り部材とし、前記仕切り部材のコ字形状の内壁側と外壁側とで少なくとも２つの中空部を形成し、前記仕切り部材の内壁側の中空部を前記潤滑剤溜まり部としたことを特徴とする請求項１記載の直動案内軸受装置。
【請求項５】
前記中空部の長手方向に、潤滑剤溜まり空間を有する仕切り部材を配置することで、前記仕切り部材の外側の前記中空部に少なくとも２つの中空部を形成し、これら２つの中空部を２箇所の前記転動体戻り通路としたことを特徴とする請求項１記載の直動案内軸受装置。
【請求項６】
前記潤滑剤溜まり部に、スポンジ、不織布、フェルト等の潤滑剤含有部材を充填したことを特徴とする請求項１乃至５の何れか１項に記載の直動案内軸受装置。
【請求項７】
前記仕切り部材を、潤滑剤含有部材で形成したことを特徴とする請求項１乃至６の何れか１項に記載の直動案内軸受装置。
【請求項８】
前記スライダに、前記潤滑剤溜まり部に潤滑剤を補給する補給部を設けたことを特徴とする請求項１乃至７の何れか１項に記載の直動案内軸受装置。
【発明の詳細な説明】
【０００１】
【発明の属する技術分野】
本発明は、直動案内軸受装置に係り、特に、潤滑剤の供給構造の改良を図った装置に関する。
【０００２】
【従来の技術】
この種の従来の技術として、本出願人が先に提案した特開平09-053637号公報に開示されているものがある。
この従来の直動案内軸受装置は、外面に転動体転動溝を有して軸方向に伸びる案内レールにスライダが遊嵌され、このスライダは案内レールの転動体転動溝に対向する負荷転動体転動溝及びこの負荷転動体転動溝の両端部に湾曲部を介して連結された転動体戻し路からなる転動体循環路を備え、前記転動体循環路に、案内レールに沿ってスライダを相対移動させる多数の転動体が装填されている。
【０００３】
そして、スライダの長手方向の両端面に、潤滑剤含有のゴム又は合成樹脂からなる潤滑剤含有部材を板状部材を使用して固定し、潤滑剤含有部材を案内レールに接触させている。
この潤滑剤含有部材を配置したことで、その部材から経時的に徐々にしみ出す潤滑剤が、確実に案内レールに供給され、案内レールに供給された潤滑剤が転動体潤滑路を介して転動体に供給されるようになっている。
【０００４】
【発明が解決しようとする課題】
ところが、上述した従来の直動案内軸受装置によると、潤滑剤含有部材をスライダの長手方向の両端面に配置したことから、スライダ長が長くなってしまい、案内レール上を移動するスライダのストロークが短くなるという問題がある。
スライダの長手方向の両端面以外の箇所に潤滑剤含有部材を配置すると、スライダ長の短縮化を図ることができる。しかし、潤滑剤含有部材に容易に潤滑剤を補給できる構造を考えると、スライダの長手方向の両端面に潤滑剤含有部材を配置するのが最適である。したがって、スライダ長を短縮し、且つ、長期間に渡って潤滑剤を安定的に供給できる直動案内軸受装置を実現することが、現在までのところ不可能であった。
【０００５】
そこで、本発明は上記事情に鑑みてなされたもので、スライダ長の短縮化を図り、同時に、長期間に渡って潤滑剤を安定的に供給することが可能な直動案内軸受装置を提供することを目的としている。
【０００６】
【課題を解決するための手段】
上記の目的を達成するため、請求項１記載の発明は、外周面に転動体転動溝を備えた案内レールと、この案内レールに跨架されて相対移動するスライダとで構成し、当該スライダは、前記案内レールの転動体転動溝に対向する転動体転動溝及び転動体戻り通路を有するスライダ本体と、前記スライダ本体の端部に接合され、前記スライダの転動体転動溝及び転動体戻り通路を連通する湾曲路を有するエンドキャップとを備えた直動案内軸受装置において、前記スライダ本体の内部に、前記転動体戻り通路の延在方向に沿って長手方向が延在する中空部を形成し、この中空部の長手方向に仕切り部材を配置することで、少なくとも２つの中空部を形成し、これら中空部のうちの１つの中空部を潤滑剤溜まり部とし、他の中空部を前記転動体戻り通路とするとともに、前記仕切り部材に、前記転動体戻り通路及び前記潤滑剤溜まり部を連通する前記潤滑剤供給穴を形成した。
【０００７】
また、請求項２記載の発明は、請求項１記載の直動案内軸受装置において、前記仕切り部材を、少なくとも１枚の板状の仕切り部材とした。
【０００８】
また、請求項３記載の発明は、請求項１記載の直動案内軸受装置において、前記仕切り部材を、横断面略ロ字形状の仕切り部材とし、前記仕切り部材の内部空間を前記潤滑剤溜まり部とした。
【０００９】
また、請求項４記載の発明は、請求項１記載の直動案内軸受装置において、前記仕切り部材を、横断面略コ字形状の仕切り部材とし、前記仕切り部材のコ字形状の内壁側と外壁側とで少なくとも２つの中空部を形成し、前記仕切り部材の内壁側の中空部を前記潤滑剤溜まり部とした。
【００１０】
また、請求項５記載の発明は、請求項１記載の直動案内軸受装置において、前記中空部の長手方向に、潤滑剤溜まり空間を有する仕切り部材を配置することで、前記仕切り部材の外側の前記中空部に少なくとも２つの中空部を形成し、これら２つの中空部を２箇所の前記転動体戻り通路とした。
【００１１】
また、請求項６記載の発明は、請求項１乃至５の何れか１項に記載の直動案内軸受装置において、前記潤滑剤溜まり部に、スポンジ、不織布、フェルト等の潤滑剤含有部材を充填した。
【００１２】
また、請求項７記載の発明は、請求項１乃至６の何れか１項記載の直動案内軸受装置において、前記仕切り部材を、潤滑剤含有部材で形成した。さらに、請求項８記載の発明は、請求項１乃至７の何れかに１項記載の直動案内軸受装置において、前記スライダに、前記潤滑剤溜まり部に潤滑剤を補給する補給部を設けた。
【００１３】
【発明の実施の形態】
以下、本発明の直動案内軸受装置に係る実施形態を図面を参照して説明する。図１から図３は第１実施形態を示すものであり、図１は直動案内軸受装置２を示す平面図、図２は、直動案内軸受装置２を構成しているスライダ本体６Ａを示す側面図、図３は、図２のIII−III線矢視図である。
図１に示すように、本実施形態の直動案内軸受装置２は、軸方向に長く延びる案内レール４と、その上に移動可能に支持されたスライダ６とを備えている。スライダ６は、スライダ本体６Ａと、スライダ本体６Ａの長手方向の両端部に固定されたエンドキャップ６Ｂと、エンドキャップ６Ｂの外面に接続されている外側板２１とで構成されている。
【００１４】
案内レール４の両側面には軸方向に延びる二条の転動体転動溝８が形成されており、前記スライダ本体６Ａの両袖部の内側面にも、前記転動体転動溝８に対向する二条の転動体転動溝１０がそれぞれ形成されている。これら両転動体転動溝８，１０の間に多数の転動体Ｂが転動自在に装填されている。
また、スライダ本体６Ａの両袖部の肉厚内には、図２に示すように、軸方向に貫通する転動体戻り通路１２が、４箇所（一方の袖部に上下に２箇所、他方の袖部に上下に２箇所）形成されているとともに、スライダ本体６Ａの両端に固定したエンドキャップ６Ｂには、図３に示すように、各転動体戻り通路１２と、それに対応する転動体転動溝８，１０とを連通させる転動体循環路１４が構成されている。
【００１５】
ここで、図２に示すように、スライダ本体６Ａに形成した転動体戻り通路１２に沿った位置に、潤滑剤溜まり部１６が形成されている。
すなわち、本実施形態では、スライダ本体６Ａの内部に長手方向に延在する中空部１８を形成している。この中空部１８の断面形状は、上部が角形形状であり、下部が転動体Ｂと略同一の曲率を有した円弧形状である。この中空部１８の角形形状の上部に、横断面ロ字形状の仕切り部材２０が長手方向に延在して装着されている。
【００１６】
そして、仕切り部材２０の内部空間が潤滑剤溜まり部１６とされ、仕切り部材２０から下方の外部空間が転動体戻り通路１２とされている。潤滑剤溜まり部１６には、スポンジ、不織布、フェルト等の潤滑剤含有部材が充填されている。さらに、仕切り部材２０も、潤滑剤含有部材とすることもできる。
また、エンドキャップ６Ｂにニップル２６が着脱自在に装着されており、このニップル２６を介して外部から潤滑剤溜まり部１６に潤滑剤が補給されるようになっている。
【００１７】
そして、仕切り部材２０の転動体戻り通路１２に対向する位置に、転動体戻り通路１２及び潤滑剤溜まり部１６を連通する潤滑剤供給穴２２が長手方向に所定間隔を開けて形成されている。
上記構成によると、仕切り部材２０の潤滑剤供給穴２２から転動体戻り通路１２に適量の潤滑剤が流れるとともに、仕切り部材２０の転動体戻り通路１２に面する壁から潤滑剤が経時的に徐々にしみ出すので、転動体転動溝８，１０の間を通過した後、転動体戻り通路１２を通って戻る転動体Ｂに確実に適量の潤滑油を供給することができる。また、ニップル２６を介して外部から潤滑剤溜まり部１６内に潤滑剤が補給可能とされているので、潤滑剤溜まり部１６内に一定量の潤滑剤を補充しておくことができる。したがって、長期間に渡って潤滑剤を安定的に供給可能な直動案内軸受装置２を提供することができる。潤滑剤の補給は、スライダ本体６Ａの側面の上面・下面に設けられた着脱可能なニップルなどの補給路によることもできる。
【００１８】
また、本実施形態の直動案内軸受装置２は、従来装置のようなスライダ本体６Ａの長手方向の両端部に潤滑剤を保持する部材を配置しておらず、スライダ本体６Ａ内の転動体戻り通路１２に沿って潤滑剤溜まり部１６を形成した構造としているので、スライダ長の短縮化を図ることができる。
次に、図４に示すものは、本発明に係る第２実施形態のスライダ本体６Ａを示す側面図である。なお、図１から図３で示した構成と同一構成部分には、同一符号を付してその説明を省略する。
【００１９】
本実施形態も、スライダ本体６Ａの内部に長手方向に延在する中空部１８を形成している。この中空部１８の角形形状の上部に、横断面コ字形状の仕切り部材３０が長手方向に延在して装着されている。
そして、仕切り部材３０のコ字状の内壁と中空部１８の上部の内壁とで囲まれた空間が潤滑剤溜まり部３２とされ、仕切り部材３０の外壁側の外部空間が転動体戻り通路３４とされている。潤滑剤溜まり部３２にも、第１実施形態と同様に、スポンジ、不織布、フェルト等の潤滑剤含有部材が充填されている。さらに、仕切り部材３０を、潤滑剤含有部材とすることもできる。
【００２０】
また、図示しないが、エンドキャップ６Ｂに装着したニップル２６を介して外部から潤滑剤溜まり部３２に潤滑剤が補給されるようになっている。
そして、仕切り部材３０の転動体戻り通路３４に対向する位置に、転動体戻り通路３４及び潤滑剤溜まり部３２を連通する潤滑剤供給穴３６が長手方向に所定間隔を開けて形成されている。
上記構成によると、仕切り部材３０の潤滑剤供給穴３６から転動体戻り通路３４に適量の潤滑剤が流れるとともに、仕切り部材３０の転動体戻り通路３４に面する壁から潤滑剤が経時的に徐々にしみ出すので、転動体戻り通路３４を通って戻る転動体Ｂに確実に適量の潤滑油を供給することができる。また、ニップル２６を介して外部から潤滑剤溜まり部３２内に潤滑剤が補給可能とされているので、潤滑剤溜まり部３２内に一定量の潤滑剤を補充しておくことができる。したがって、長期間に渡って潤滑剤を安定的に供給可能な直動案内軸受装置２を提供することができる。潤滑剤の補給は、スライダ本体６Ａの側面の上面・下面に設けられた着脱可能なニップルなどの補給路によることもできる。
【００２１】
また、本実施形態の直動案内軸受装置２も、スライダ本体６Ａ内の転動体戻り通路３４に沿って潤滑剤溜まり部３２を形成した構造としているので、スライダ長の短縮化を図ることができる。
次に、図５に示すものは、本発明に係る第３実施形態のスライダ本体６Ａを示す側面図である。
本実施形態の仕切り部材４０は、連結部４０ａと、この連結部４０ａから互いに平行に延在する一対の耳部４０ｂ，４０ｃとからなる横断面略コ字形状の部材であるが、連結部４０ａの形状が、転動体Ｂの曲率に略一致している。
【００２２】
仕切り部材４０のコ字状の内壁と中空部１８の上部の内壁とで囲まれた空間が潤滑剤溜まり部４２とされ、仕切り部材４０の外壁側の外部空間が転動体戻り通路４４とされている。
また、仕切り部材４０の転動体戻り通路４４に対向する位置に、転動体戻り通路４４及び潤滑剤溜まり部４２を連通する潤滑剤供給穴４６が長手方向に所定間隔を開けて形成されている。潤滑剤溜まり部４２にも、第１実施形態と同様に、スポンジ、不織布、フェルト等の潤滑剤含有部材が充填されている。さらに、仕切り部材４０を、潤滑剤含有部材とすることもできる。
【００２３】
上記構成によると、図４で示した第２実施形態と同様の効果を得ることができるとともに、
仕切り部材４０の連結部４０ａが転動体Ｂの曲率に略一致していることから、転動体Ｂが転動体戻り通路４４を通過する際に、仕切り部材４０と転動体Ｂとの接触面積が大きくなり、多くの潤滑油を転動体Ｂに供給することができる。したがって、さらに潤滑性能が向上するという効果を得ることができる。
【００２４】
次に、図６に示すものは、本発明に係る第４実施形態のスライダ本体６Ａを示す側面図である。
本実施形態では、スライダ本体６Ａの内部に、断面形状が楕円形状の中空部５０が長手方向に延在して形成されている。
この中空部５０の内壁の互い対向する位置に、一対の溝条５２が長手方向に延在する形成されており、これら一対の溝条５２に縁部が嵌まり込んだ状態で、板状の仕切り部材５４が装着されている。
【００２５】
仕切り部材５４で画成された２つの中空部のうち一方の中空部が潤滑剤溜まり部５６とされ、他方の中空部が転動体戻り通路５８とされている。潤滑剤溜まり部５６には、スポンジ、不織布、フェルト等の潤滑剤含有部材が充填されている。さらに、仕切り部材５４を潤滑剤含有部材とすることもできる。
また、仕切り部材５４には、転動体戻り通路５８及び潤滑剤溜まり部５６を連通する潤滑剤供給穴５９が長手方向に所定間隔を開けて形成されている。
【００２６】
また、図示しないが、エンドキャップ６Ｂに装着されているニップル２６を介して外部から潤滑剤溜まり部５６に潤滑剤が補給されるようになっている。
上記構成によると、仕切り部材５４の潤滑剤供給穴５９から転動体戻り通路５８に適量の潤滑剤が流れるとともに、仕切り部材５４の転動体戻り通路５８に面する壁から潤滑剤が経時的に徐々にしみ出すので、転動体戻り通路５８を通る転動体Ｂに確実に適量の潤滑油を供給することができる。また、ニップル２６を介して外部から潤滑剤溜まり部５６内に潤滑剤が補給可能とされているので、潤滑剤溜まり部５６内に一定量の潤滑剤を補充しておくことができる。したがって、長期間に渡って潤滑剤を安定的に供給可能な直動案内軸受装置２を提供することができる。潤滑剤の補給は、スライダ本体６Ａの側面の上面・下面に設けられた着脱可能なニップルなどの補給路によることもできる。
【００２７】
また、本実施形態も、スライダ本体６Ａ内の転動体戻り通路５８に沿って潤滑剤溜まり部５６を形成した構造としているので、スライダ長の短縮化を図ることができる。
次に、図７に示すものは、本発明に係る第５実施形態のスライダ本体６Ａを示す側面図である。なお、図６に示した構成と同一構成部分には、同一符号を付してその説明を省略する。
【００２８】
本実施形態では、スライダ本体６Ａの両袖部の内側面に形成した二条の転動体転動溝１０の近くに、断面形状が楕円形状の中空部６０が長手方向に延在して形成されている。
この中空部６０の内壁に、２枚の仕切り部材５４を所定間隔を開けて嵌め込むために２対の溝条６２が長手方向に延在して形成されている。
これら２枚の仕切り部材５４で画成された３つの中空部のうち、中央の中空部が潤滑剤溜まり部６４とされ、他方の２つの中空部が転動体戻り通路６６、６８とされている。
【００２９】
潤滑剤溜まり部６４には、第４実施形態と同様に、スポンジ、不織布、フェルト等の潤滑剤含有部材が充填されている。さらに、仕切り部材５４を潤滑剤含有部材とすることもできる。
また、各仕切り部材５４には、第４実施形態と同様に、潤滑剤供給穴５９が長手方向に所定間隔を開けて形成されている。
また、エンドキャップ６Ｂに装着されているニップル２６を介して外部から潤滑剤溜まり部６４に潤滑剤が補給されるようになっている。
【００３０】
上記構成によると、仕切り部材５４の潤滑剤供給穴５９から２箇所の転動体戻り通路６６，６８に適量の潤滑剤が流れるとともに、転動体戻り通路６６，６８に面する壁から潤滑剤が経時的に徐々にしみ出すので、転動体戻り通路６６，６８を通る転動体Ｂに確実に適量の潤滑油を供給することができる。また、ニップル２６を介して外部から潤滑剤溜まり部６４内に潤滑剤が補給可能とされているので、潤滑剤溜まり部６４内に一定量の潤滑剤を補充しておくことができる。したがって、長期間に渡って潤滑剤を安定的に供給可能な直動案内軸受装置２を提供することができる。潤滑剤の補給は、スライダ本体６Ａの側面の上面・下面に設けられた着脱可能なニップルなどの補給路によることもできる。
【００３１】
また、本実施形態も、スライダ本体６Ａ内の転動体戻り通路６６，６８に沿って潤滑剤溜まり部６４を形成した構造としているので、スライダ長の短縮化を図ることができる。
次に、図８に示すものは、本発明に係る第６実施形態のスライダ本体６Ａを示す側面図である。
本実施形態では、スライダ本体６Ａの両袖部の内部に、断面円形状の転動体戻り通路７０，７２が上下に離間して形成されているとともに、それら転動体戻り通路７０，７２の間に、断面円形状の潤滑剤溜まり部７４が形成されている。
【００３２】
また、スライダ本体６Ａには、転動体戻り通路７０，７２及び潤滑剤溜まり部７４の間を連通する潤滑剤供給穴７６が長手方向に所定間隔を開けて形成されている。潤滑剤溜まり部７４には、潤滑剤含有部材が充填されている。
そして、図示しないが、エンドキャップ６Ｂに装着されているニップル２６を介して外部から潤滑剤溜まり部７４に潤滑剤が補給されるようになっている。
上記構成によると、潤滑剤溜まり部７４から各転動体戻り通路７０，７２に、潤滑剤供給穴７６を介して適量の潤滑剤が流れるので、転動体戻り通路７０，７２を通る転動体Ｂに確実に適量の潤滑油を供給することができる。また、ニップル２６を介して外部から潤滑剤溜まり部７４内に潤滑剤が補給可能とされているので、潤滑剤溜まり部７４内に一定量の潤滑剤を補充しておくことができる。したがって、長期間に渡って潤滑剤を安定的に供給可能な直動案内軸受装置２を提供することができる。潤滑剤の補給は、スライダ本体６Ａの側面の上面・下面に設けられた着脱可能なニップルなどの補給路によることもできる。
【００３３】
また、本実施形態も、スライダ本体６Ａ内の転動体戻り通路７０，７２に沿って潤滑剤溜まり部７４を形成した構造としているので、スライダ長の短縮化を図ることができる。
次に、図９に示すものは、本発明に係る第７実施形態のスライダ本体６Ａを示す側面図である。なお、図８に示した第６実施形態と同一構成部分には、同一符号を付してその説明を省略する。
【００３４】
本実施形態では、スライダ本体６Ａの両袖部の内部に形成した上下の転動体戻り通路７０，７２に沿って潤滑剤溜まり部８０，８２が形成されているとともに、これら転動体戻り通路７０，７２及び潤滑剤溜まり部８０，８２の間を連通する潤滑剤供給穴８４，８６が長手方向に所定間隔を開けて形成されている。
そして、図示しないが、エンドキャップ６Ｂに装着されているニップル２６を介して外部から潤滑剤溜まり部８０，８２に潤滑剤が補給されるようになっている。
【００３５】
上記構成の実施形態も、第６実施形態と同様の作用効果を得ることができる。また、潤滑剤の補給は、スライダ本体６Ａの側面の上面・下面に設けられた着脱可能なニップルなどの補給路によることもできる。
次に、図１０に示すものは、本発明に係る第８実施形態のスライダ本体６Ａを示す側面図である。
本実施形態では、スライダ本体６Ａの両袖部の内側面に形成した二条の転動体転動溝１０の近くに、断面形状が楕円形状の中空部９０が長手方向に延在して形成されている。
【００３６】
この中空部９０の中央部に、仕切り部材９２が装着されている。この仕切り部材９２は、上面及び下面が転動体Ｂの曲率に略一致した湾曲形状に形成され、この仕切り部材９２の上部及び下部空間が転動体戻り通路９４，９６とされている。また、仕切り部材９２の内部に、潤滑剤溜まり部９８が形成されており、この潤滑剤溜まり部９８及び転動体戻り通路９４，９６は、潤滑剤供給穴９９を介して連通している。潤滑剤溜まり部９８には、潤滑剤含有部材が充填されている。さらに、仕切り部材９２を潤滑剤含有部材とすることもできる。
【００３７】
そして、エンドキャップ６Ｂに装着されているニップル２６を介して外部から潤滑剤溜まり部９８に潤滑剤が補給されるようになっている。
上記構成によると、仕切り部材９２の潤滑剤供給穴９９から２箇所の転動体戻り通路９４，９６に適量の潤滑剤が流れるとともに、転動体戻り通路９４，９６に面する壁から潤滑剤が経時的に徐々にしみ出すので、転動体戻り通路９４，９６を通る転動体Ｂに確実に適量の潤滑油が供給される。したがって、他の実施形態と同様の効果を得ることができる。潤滑剤の補給は、スライダ本体６Ａの側面の上面・下面に設けられた着脱可能なニップルなどの補給路によることもできる。
【００３８】
次に、図１１に示すものは、本発明に係る第９実施形態のスライダ本体１００Ａを示す側面図である。
本実施形態では、図示しないが、両側面に軸方向に延びる一条の転動体転動溝を形成した案内レールを使用しており、この案内レールに跨架されてスライダ本体１００Ａが相対移動する。このスライダ本体１００Ａの両袖部の内側面には、案内レールの転動体転動溝に対向する一条の転動体転動溝１０２がそれぞれ形成されている。
【００３９】
スライダ本体１００Ａの上面には、長手方向に溝１０４が連続して形成されており、この溝１０４を上部開口部を閉塞部材１０６で液密を保持して閉塞することで、中空部１０８が長手方向に延在して形成されている。
この中空部１０８の幅方向の中央部に、仕切り部材１１０が装着されている。この仕切り部材１１０は、上面が閉塞部材１０６に密接し、下面が溝１０４の底に密接しており、この仕切り部材１１０を境として幅方向の一方側及び他方側の空間が転動体戻り通路１１２，１１４とされている。また、仕切り部材１１０の内部に、潤滑剤溜まり部１１６が形成されており、この潤滑剤溜まり部１１６及び転動体戻り通路１１２，１１４は、潤滑剤供給穴１１６を介して連通している。潤滑剤溜まり部１１６には、スポンジ、不織布、フェルト等の潤滑剤含有部材が充填されている。さらに、仕切り部材１１０を潤滑剤含有部材とすることもできる。
【００４０】
そして、エンドキャップ６Ｂに装着されているニップル２６を介して外部から潤滑剤溜まり部１１６に潤滑剤が補給されるようになっている。
上記構成によると、仕切り部材１１０の潤滑剤供給穴１１６から２箇所の転動体戻り通路１１２，１１４に適量の潤滑剤が流れるとともに、転動体戻り通路１１２，１１４を通過する転動体Ｂが仕切り部材１１０に接触することで潤滑剤が経時的に徐々にしみ出すので、転動体Ｂに確実に適量の潤滑油が供給される、他の実施形態と同様の効果を得ることができる。潤滑剤の補給は、スライダ本体６Ａの側面の上面・下面に設けられた着脱可能なニップルなどの補給路によることもできる。
【００４１】
さらに、図１２に示すものは、図２で示した第１実施形態のスライダ本体６Ａを変形した第１０を示すものである。
本実施形態では、仕切り部材２０の内部に潤滑剤含有部材１２０が装着されている。潤滑剤含有部材１２０は、スポンジ、不織布、フェルト等で形成された部材であり、潤滑剤溜まり部１６となっている仕切り部材２０の内部空間に充填されている本体部１２０ａと、この本体部１２０ａと一体構造であり、潤滑剤供給穴２２を通過して転動体Ｂに接触している突出接触部１２０ｂとを備えている。
【００４２】
上記構成によると、潤滑剤含有部材１２０に含有されている潤滑剤は、突出接触部１２０ｂが接触する転動体Ｂに直接流れていくので、転動体Ｂに確実に適量の潤滑油を供給することができる。したがって、長期間に渡って潤滑剤を安定的に供給可能な直動案内軸受装置２を提供することができる。
なお、仕切り部材に潤滑剤含有部材を装着する構造は、上述した第１実施形態に限るものではなく、他の実施形態の仕切り部材に潤滑剤含有部材を装着しても、同様の作用効果を得ることができる。
【００４３】
【発明の効果】
以上説明したように、本発明の直動案内軸受装置は、スライダ本体に、転動体戻り通路に沿って潤滑剤溜まり部を形成し、転動体戻り通路と潤滑剤溜まり部とを潤滑剤供給穴で連通したことから、スライダ長の短縮化を図ることができると同時に、長期間に渡って潤滑剤を安定的に供給することができるという効果がある。
【図面の簡単な説明】
【図１】本発明に係る直動案内軸受装置を示す平面図である。
【図２】第１実施形態のスライダ本体を示す側面図である。
【図３】図２のIII―III線矢視図である。
【図４】本発明に係る第２実施形態のスライダ本体を示す側面図である。
【図５】本発明に係る第３実施形態のスライダ本体を示す側面図である。
【図６】本発明に係る第４実施形態のスライダ本体を示す側面図である。
【図７】本発明に係る第５実施形態のスライダ本体を示す側面図である。
【図８】本発明に係る第６実施形態のスライダ本体を示す側面図である。
【図９】本発明に係る第７実施形態のスライダ本体を示す側面図である。
【図１０】本発明に係る第８実施形態のスライダ本体を示す側面図である。
【図１１】本発明に係る第９実施形態のスライダ本体を示す側面図である。
【図１２】本発明に係る第１実施形態のスライダ本体の変形例を示す要部拡大図である。
【符号の説明】
２    直動案内軸受装置
４    案内レール
６Ｂ  エンドキャップ
６  スライダ
６Ａ  スライダ本体
８，１０  転動体転動溝
１２、３４、４４、５８、６６、６８、７０、７２、９４、９６、１１２、１１４  転動体戻り通路
１４  転動体循環路
１６、３２，４２，５６，６４，７４，８０，９８，１１６  潤滑剤溜まり部
１８，５０、６０、９０、１０８  中空部
２０、３０、４０、５４，９２，１１０  仕切り部材
２２、３６、４６、５９、７６、８４、９９、１１６  潤滑剤供給穴
２６  ニップル（補給部）
１００Ａ  スライダ本体
１０２    転動体転動溝
１０６    閉塞部材
１２０  潤滑剤含有部材
【図１】
0004144216.tif 000002
【図２】
0004144216.tif 000003
【図３】
0004144216.tif 000004
【図４】
0004144216.tif 000005
【図５】
0004144216.tif 000006
【図６】
0004144216.tif 000007
【図７】
0004144216.tif 000008
【図８】
0004144216.tif 000009
【図９】
0004144216.tif 000010
【図１０】
0004144216.tif 000011
【図１１】
0004144216.tif 000012
【図１２】
0004144216.tif 000013